(57)【要約】【課題】光ディスクの全領域に対して高い再生・記録性能を確保すること。【解決手段】光ビームを光ディスクに照射し、光ディスクからの光ビームを受光して検出信号を出力するＰＵＨ６５と、ＰＵＨ６５を複数の調整位置に移動させるための移動部６４と、検出信号からＲＦ信号の振幅を測定する振幅測定部１００と、調整信号に応じてフォーカスバランス調整量（ＦＢ調整量）を調整するためのフォーカスバランス調整部２００と、各調整位置において、複数のＦＢ調整量毎のＲＦ信号の振幅を測定するために調整信号の変更を複数回指示する手段２１０と、ＦＢ調整量と振幅測定部によって測定されるＲＦ信号の振幅とから、ＲＦ信号の振幅が最大となるＦＢ調整量を推測する手段２１４，２１５と、光ディスクのデータ再生／記録時、位置に対応して推測されたＦＢ調整量に応じた調整信号の変更を指示する手段２１０とを具備する。【選択図】      図４
2008299957.tif 000002
【特許請求の範囲】
【請求項１】
フォーカスバランスを調整する機能を有する光ディスク装置であって、
光ビームを光ディスクに照射し、光ディスクからの光ビームを受光して検出信号を出力するピックアップヘッドと、
前記ピックアップヘッドを複数の調整位置に移動させるための移動部と、
前記ピックアップヘッドの検出信号からＲＦ信号の振幅を測定する振幅測定部と、
調整信号を出力する手段と、
前記調整信号に応じてフォーカスバランス調整量を調整するためのフォーカスバランス調整部と、
前記各調整位置において、複数のフォーカスバランス調整量毎の前記ＲＦ信号の振幅を測定するために前記出力手段に調整信号の変更を複数回指示する手段と、
前記フォーカスバランス調整量と前記振幅測定部によって測定されるＲＦ信号の振幅とから、前記ＲＦ信号の振幅が最大となるフォーカスバランス調整量を推測する手段と、
前記各調整位置の推測されたフォーカスバランス調整量が格納される記憶部と、
前記光ディスクのデータ再生／記録時、前記記憶部に格納されたフォーカスバランス調整量に応じた調整信号の出力を前記出力手段に指示する手段と
を具備することを特徴とする光ディスク装置。
【請求項２】
前記調整位置毎に、前記ＲＦ信号が検出されているか否かを判別する手段と、
前記ＲＦ信号が検出されていないと判断し、前記光ディスクが読み取り専用媒体、或いは追記型媒体の場合に、前記前記ＲＦ信号が検出されていないと判断された調整位置以降における最適なフォーカスバランス調整量の推測を停止させるための手段と、
前記ＲＦ信号が検出されていないと判断し、前記光ディスクが読み取り書換可能型媒体の場合に、前記前記ＲＦ信号が検出されていないと判断された調整位置の次の調整位置への前記ピックアップヘッドの移動を前記移動部に指示する手段とを更に具備することを特徴とする請求項１記載の光ディスク装置。
【請求項３】
前記ＲＦ信号の振幅の計測は、トラッキングサーボを外した状態で行われることを特徴とする請求項１記載の光ディスク装置。
【請求項４】
前記推測手段は、前記前記複数のフォーカスバランス調整量毎に計測されたＲＦ信号の振幅から、前記フォーカスバランス調整量とＲＦ信号の振幅との関係を表す近似式を算出する手段と、前記近似式からＲＦ信号の振幅が最大となるフォーカスバランス調整量を算出する手段とを具備することを特徴とする請求項１記載の光ディスク装置。
【請求項５】
前記光ディスクが記録型媒体の場合に、プッシュプル信号の振幅を測定するプッシュプル信号振幅測定部と、
複数のフォーカスバランス調整量毎のＲＦ信号の振幅の測定時に得られる、複数のフォーカスバランス調整量毎の複数のプッシュプル信号の振幅から、前記プッシュプル信号の振幅が最大となるフォーカスバランス調整量を推測する手段と、
前記ＲＦ信号の振幅が最大となるフォーカスバランス調整量と前記プッシュプル信号の振幅が最大となるフォーカスバランス調整量とが異なる場合に、二つのフォーカスバランス調整量の中間のフォーカスバランス調整量に対応する調整信号の出力を指示する手段とを更に具備することを特徴とする請求項１記載の光ディスク装置。
【請求項６】
データが記録されていない記録型光ディスクにデータを書き込む光ディスク装置であって、
前記光ビームを光ディスクに照射し、光ディスクからの光ビームを受光して検出信号を出力するピックアップヘッドと、
前記光ビームの前記光ディスクの照射位置を前記光ディスクの径方向に移動させるための移動部と、
前記検出信号からＲＦ信号の振幅を検出する手段と、
前記ピックアップヘッドを複数の調整位置に移動させるための調整部と、
前記記録型光ディスクのＰＣＡ（Power Calibration Area）にフォーカスバランス調整用のデータを記録する手段と、
調整信号を出力する手段と、
調整信号に応じてフォーカスバランス調整量を調整するためのフォーカスバランス調整部と、
前記フォーカスバランス調整用データを複数のフォーカスバランス調整量で再生するために、前記フォーカスバランス調整用データを再生する毎に調整信号の変更を指示する手段と、
複数のフォーカスバランス調整量毎のＲＦ信号の振幅から、最適なフォーカスバランス調整量を推測する手段と、
前記推測されたフォーカスバランス量に応じた調整信号の出力を前記出力手段に指示する手段と、
前記記録型光ディスクにデータを記録する記録手段と、
複数の位置が格納される記憶部と、
前記記録手段による記録位置が前記記憶部に格納されている位置の場合に、前記記録手段にデータの記録の一時停止を指示する手段と、
前記光ビームの照射位置が記録済みの領域に照射されるように、前記ピックアップヘッドの移動を前記移動部に指示する手段と、
前記光ビームが前記記録済みの領域に照射されている状態で、複数のフォーカスバランス調整量毎のＲＦ信号の振幅を測定するために前記出力手段に調整信号の変更を複数回指示する手段と、
前記光ビームが前記記録済みの領域に照射されている状態で得られた複数のフォーカスバランス調整量毎のＲＦ信号の振幅から、新たな最適なフォーカスバランス調整量を推測する手段と、
前記推測された新たなフォーカスバランス量に応じた調整信号の出力を前記出力手段に指示する手段と、
前記フォーカスバランス調整部が前記新たなフォーカスバランス量でフォーカスバランスを調整している状態で、前記記録手段にデータの記録の再開を指示する手段と
を具備することを特徴とする光ディスク装置。
【請求項７】
前記光ビームが前記記録済みの領域に照射されている状態で、複数のフォーカスバランス調整量毎のＲＦ信号の振幅を測定する際、前記ＲＦ信号の振幅の計測は、トラッキングサーボを外した状態で行われることを特徴とする請求項６記載の光ディスク装置。
【請求項８】
前記推測手段は、前記前記複数のフォーカスバランス調整量毎に計測されたＲＦ信号の振幅から、前記フォーカスバランス調整量とＲＦ信号の振幅との関係を表す近似式を算出する手段と、前記近似式からＲＦ信号の振幅が最大となるフォーカスバランス調整量を算出する手段とを具備することを特徴とする請求項６記載の光ディスク装置。
【請求項９】
前記光ディスクが記録型媒体の場合に、プッシュプル信号の振幅を測定するプッシュプル信号振幅測定部と、
複数のフォーカスバランス調整量毎のＲＦ信号の振幅の測定時に得られる、複数のフォーカスバランス調整量毎の複数のプッシュプル信号の振幅から、前記プッシュプル信号の振幅が最大となるフォーカスバランス調整量を推測する手段と、
前記ＲＦ信号の振幅が最大となるフォーカスバランス調整量と前記プッシュプル信号の振幅が最大となるフォーカスバランス調整量とが異なる場合に、二つのフォーカスバランス調整量の中間のフォーカスバランス調整量に対応する調整信号の出力を指示する手段とを更に具備することを特徴とする請求項６記載の光ディスク装置。
【請求項１０】
フォーカスバランスを調整する機能を有する光ディスク装置の制御方法であって、
前記ピックアップヘッドを調整位置に移動させ、
フォーカスバランス調整量を調整し、
前記調整位置において、ＲＦ信号の振幅を測定し、
前記フォーカスバランス調整量およびＲＦ信号の振幅の測定を複数回行い、
前記フォーカスバランス調整量と前記振幅測定部によって測定されるＲＦ信号の振幅とから、ＲＦ信号の振幅が最大となるフォーカスバランス調整量を推測する手段と、
前記ピックアップヘッドを別の調整位置に移動させ、
前記フォーカスバランス調整量の調整、および前記ＲＦ信号の振幅測定を複数回行って、前記別の調整位置に対するＲＦ信号の振幅が最大となるフォーカスバランス調整量を推測し、
前記光ディスクのデータ再生／記録時、前記調整位置に対して推測されたフォーカスバランス調整量に調整する
ことを特徴とする光ディスク装置の制御方法。
【請求項１１】
前記ピックアップヘッドを前記調整位置に移動させた後、前記ＲＦ信号が検出されているか否かを判別し、
前記ＲＦ信号が検出されていないと判断し、前記光ディスクが読み取り専用媒体、或いは追記型媒体の場合に、前記前記ＲＦ信号が検出されていないと判断された調整位置以降における最適なフォーカスバランス調整量の推測処理を停止させ、
前記ＲＦ信号が検出されていないと判断し、前記光ディスクが読み取り書換可能型媒体の場合に、前記前記ＲＦ信号が検出されていないと判断された調整位置の前記別の調整位置に前記ピックアップヘッドを移動前させることを特徴とする請求項１０記載の光ディスク装置の制御方法。
【請求項１２】
前記ＲＦ信号の振幅の計測は、トラッキングサーボを外した状態で行われることを特徴とする請求項１０記載の光ディスク装置の制御方法。
【請求項１３】
前記推測は、前記前記複数のフォーカスバランス調整量毎に計測されたＲＦ信号の振幅から、前記フォーカスバランス調整量とＲＦ信号の振幅との関係を表す近似式を算出し、前記近似式からＲＦ信号の振幅が最大となるフォーカスバランス調整量を算出することを特徴とする請求項１０記載の光ディスク装置の制御方法。
【請求項１４】
前記光ディスクが記録型媒体の場合に、前記ＲＦ信号の振幅の測定時にプッシュプル信号の振幅を測定し、
複数対のフォーカスバランス調整量とプッシュプル信号の振幅とから、前記プッシュプル信号の振幅が最大となるフォーカスバランス調整量を推測し、
前記ＲＦ信号の振幅が最大となるフォーカスバランス調整量と前記プッシュプル信号の振幅が最大となるフォーカスバランス調整量とが異なる場合に、前記光ディスクのデータ再生／記録時に、二つのフォーカスバランス調整量の中間のフォーカスバランス調整量に調整する
ことを特徴とする請求項１０記載の光ディスク装置の制御方法。
【請求項１５】
データが記録されていない記録型光ディスクにデータを記録する光ディスク装置の制御方法であって、
前記記録型光ディスクのＰＣＡ（Power Calibration Area）に調整用データを記録し、
フォーカスバランス調整量を調整し、
前記調整位置において、調整用データを再生してＲＦ信号の振幅を測定し、
前記フォーカスバランス調整量およびＲＦ信号の振幅の測定を複数回行い、
複数対の前記フォーカスバランス調整量とＲＦ信号の振幅とから、ＲＦ信号の振幅が最大となるフォーカスバランス調整量を推測し、
前記推測されたフォーカスバランス調整量に調整し、
前記記録型光ディスクへのデータの記録を開始し、
前記データの記録位置が設定値の場合に、前記データの記録を一時停止し、
前記光ビームの照射位置が記録済みの領域に照射されるように、前記ピックアップヘッドを移動させ、
前記光ビームが前記記録済みの領域に照射されている状態で、
フォーカスバランス調整量を調整し、
ＲＦ信号の振幅を測定し、
前記フォーカスバランス調整量およびＲＦ信号の振幅の測定を複数回行い、
複数対の前記フォーカスバランス調整量と前記ＲＦ信号の振幅とから、前記ＲＦ信号の振幅が最大となる新たなフォーカスバランス調整量を推測し、
前記推測された新たなフォーカスバランス調整量に調整し、
前記データの記録を再開させる
ことを特徴とする光ディスク装置の制御方法。
【請求項１６】
前記光ビームが前記記録済みの領域に照射されている状態で、複数のフォーカスバランス調整量毎のＲＦ信号の振幅を測定する際、前記ＲＦ信号の振幅の計測は、トラッキングサーボを外した状態で行われることを特徴とする請求項１５記載の光ディスク装置の制御方法。
【請求項１７】
前記推測手段は、前記前記複数ついのフォーカスバランス調整量とＲＦ信号の振幅とから、前記フォーカスバランス調整量とＲＦ信号の振幅との関係を表す近似式を算出し、前記近似式からＲＦ信号の振幅が最大となるフォーカスバランス調整量を算出することを特徴とする請求項１５記載の光ディスク装置の制御方法。
【請求項１８】
前記光ディスクが記録型媒体の場合に、前記ＲＦ信号の振幅の測定時にプッシュプル信号の振幅を測定し、
複数対のフォーカスバランス調整量とプッシュプル信号の振幅とから、前記プッシュプル信号の振幅が最大となるフォーカスバランス調整量を推測し、
前記ＲＦ信号の振幅が最大となるフォーカスバランス調整量と前記プッシュプル信号の振幅が最大となるフォーカスバランス調整量とが異なる場合に、前記光ディスクのデータ再生／記録時に、二つのフォーカスバランス調整量の中間のフォーカスバランス調整量に調整する
ことを特徴とする請求項１５記載の光ディスク装置の制御方法。
【発明の詳細な説明】
【技術分野】
【０００１】
本発明は、装填された光ディスクのフォーカスバランス調整量を径方向の複数の位置で求める光ディスク装置、及び光ディスク装置の制御方法に関する。
【背景技術】
【０００２】
近年、光ディスクの高密度化が加速され、ＨＤ  ＤＶＤやＢｕｌ−ｒａｙ等の規格が登場している。ＨＤ  ＤＶＤやＢｕｌ−ｒａｙ等の高密度光ディスクにおいてはフォーカスオフセットのマージンが小さい。そこで、高い再生／記録性能を確保するためにフォーカスバランスの調整が必要となる。
【０００３】
特許文献１には、出荷前の調整工程でテスト用光ディスクを使って最適なフォーカスバランス調整量を検出する技術が開示されている。
【特許文献１】特開２０００−３０６２４７号公報
【発明の開示】
【発明が解決しようとする課題】
【０００４】
ＨＤ  ＤＶＤやＢｕｌ−ｒａｙ等のフォーカスオフセットマージンの小さいディスクでは、出荷前にフォーカスバランスが調整されていても、光ディスクの全領域に対して高い再生・記録性能を確保することができなかった。
【０００５】
本発明の目的は、光ディスクの全領域に対して高い再生・記録性能を確保する可能な光ディスク装置及び光ディスク装置の制御方法を提供することにある。
【課題を解決するための手段】
【０００６】
本発明の一例に係わる光ディスク装置は、フォーカスバランスを調整する機能を有する光ディスク装置であって、光ビームを光ディスクに照射し、光ディスクからの光ビームを受光して検出信号を出力するピックアップヘッドと、前記ピックアップヘッドを複数の調整位置に移動させるための移動部と、前記ピックアップヘッドの検出信号からＲＦ信号の振幅を測定する振幅測定部と、調整信号を出力する手段と、前記調整信号に応じてフォーカスバランス調整量を調整するためのフォーカスバランス調整部と、前記各調整位置において、複数のフォーカスバランス調整量毎の前記ＲＦ信号の振幅を測定するために前記出力手段に調整信号の変更を複数回指示する手段と、前記フォーカスバランス調整量と前記振幅測定部によって測定されるＲＦ信号の振幅とから、前記ＲＦ信号の振幅が最大となるフォーカスバランス調整量を推測する手段と、前記各調整位置の推測されたフォーカスバランス調整量が格納される記憶部と、前記光ディスクのデータ再生／記録時、前記記憶部に格納されたフォーカスバランス調整量に応じた調整信号の出力を前記出力手段に指示する手段とを具備することを特徴とする。
【０００７】
本発明の別の一例に係わる光ディスク装置は、データが記録されていない記録型光ディスクにデータを書き込む光ディスク装置であって、前記光ビームを光ディスクに照射し、光ディスクからの光ビームを受光して検出信号を出力するピックアップヘッドと、前記光ビームの前記光ディスクの照射位置を前記光ディスクの径方向に移動させるための移動部と、前記検出信号からＲＦ信号の振幅を検出する手段と、前記ピックアップヘッドを複数の調整位置に移動させるための調整部と、前記記録型光ディスクのＰＣＡ（Power Calibration Area）にフォーカスバランス調整用のデータを記録する手段と、調整信号を出力する手段と、調整信号に応じてフォーカスバランス調整量を調整するためのフォーカスバランス調整部と、前記フォーカスバランス調整用データを複数のフォーカスバランス調整量で再生するために、前記フォーカスバランス調整用データを再生する毎に調整信号の変更を指示する手段と、複数のフォーカスバランス調整量毎のＲＦ信号の振幅から、最適なフォーカスバランス調整量を推測する手段と、前記推測されたフォーカスバランス量に応じた調整信号の出力を前記出力手段に指示する手段と、前記記録型光ディスクにデータを記録する記録手段と、複数の位置が格納される記憶部と、前記記録手段による記録位置が前記記憶部に格納されている位置の場合に、前記記録手段にデータの記録の一時停止を指示する手段と、前記光ビームの照射位置が記録済みの領域に照射されるように、前記ピックアップヘッドの移動を前記移動部に指示する手段と、前記光ビームが前記記録済みの領域に照射されている状態で、複数のフォーカスバランス調整量毎のＲＦ信号の振幅を測定するために前記出力手段に調整信号の変更を複数回指示する手段と、前記光ビームが前記記録済みの領域に照射されている状態で得られた複数のフォーカスバランス調整量毎のＲＦ信号の振幅から、新たな最適なフォーカスバランス調整量を推測する手段と、前記推測された新たなフォーカスバランス量に応じた調整信号の出力を前記出力手段に指示する手段と、前記フォーカスバランス調整部が前記新たなフォーカスバランス量でフォーカスバランスを調整している状態で、前記記録手段にデータの記録の再開を指示する手段とを具備することを特徴とする光ディスク装置。
【発明の効果】
【０００８】
高密度光ディスクの全領域に対しても光ディスク装置における再生・記録性能の向上を図ることができる。
【発明を実施するための最良の形態】
【０００９】
本発明の実施の形態を以下に図面を参照して説明する。
【００１０】
図１は、本発明の一実施形態に係る光ディスク装置の構成を示すブロック図である。
【００１１】
光ディスク装置１１にセットされた光ディスク６１は、ユーザデータを記録可能な光ディスクあるいは読出し専用の光ディスクであるが、この実施形態では記録可能な多層構造の光ディスクとして説明する。なお、情報記録面を多層構造で有する光ディスクとしては、ＤＶＤ−Ｒ等が挙げられるが、これに限らず多層記録可能な光ディスクであればよい。
【００１２】
光ディスク６１の情報記録面には、スパイラル状にランドトラックおよびグルーブトラックが形成されている。この光ディスク６１はスピンドルモータ６３によって回転駆動される。
【００１３】
光ディスク６１に対する情報の記録、再生は、光ピックアップヘッド６５（図中左側の破線で囲んだ部分）によって行われる。光ピックアップヘッド６５は、スレッドモータ６６とギア等を含む連結部１０１を介して連結されており、このスレッドモータ６６はスレッドモータ制御回路６８により制御される。
【００１４】
図中のスレッドモータ６６の下部に位置する速度検出回路６９は、光ピックアップの移動速度を検出するものであり、上述のスレッドモータ制御回路６８に接続されている。速度検出回路６９により検出される光ピックアップヘッド６５の速度信号がスレッドモータ制御回路６８に送られる。また、スレッドモータ６６の固定部に、図示しない永久磁石を設けており、駆動コイル６７がスレッドモータ制御回路６８によって励磁されることにより、光ピックアップヘッド６５が光ディスク６１の半径方向に駆動する。
【００１５】
光ピックアップヘッド６５には、図示しない例えばワイヤあるいは板バネによって支持された対物レンズ７０が設けられる。対物レンズ７０は、トラッキング駆動コイル７１の駆動によりトラッキング方向（光ディスクのトラック方向）への移動が可能である。また、対物レンズ７０は、フォーカシング駆動コイル７２の駆動によりトラッキング方向（光ディスクのトラック方向）およびフォーカシング方向（レンズの光軸方向）への移動が可能である。
【００１６】
変調回路７３は、光ディスク６１への情報記録する場合、ホスト装置９４からインターフェース回路９３およびバス８９を介して記録する情報信号を受け、これを光ディスク６１の規格に定められた変調方式（例えば８−１６変調）にて変調する。レーザ駆動回路７５は、光ディスク６１への情報記録時（マーク形成時）に、変調回路７３から供給される変調データに基づいて書込み用信号を半導体レーザダイオード７９に供給する。またレーザ駆動回路７５は、情報再生時には書込み用信号より小さい読取り用信号を半導体レーザダイオード７９に供給する。
【００１７】
半導体レーザダイオード７９は、レーザ駆動回路７５から供給される信号に応じてレーザ光を発生する。半導体レーザダイオード７９から発せられるレーザ光は、コリメータレンズ８０、ハーフプリズム８１、対物レンズ７０を介して光ディスク６１上に照射される。光ディスク６１からの反射光は、対物レンズ７０、ハーフプリズム８１、集光レンズ８２、シリンドリカルレンズ８３を介して光検出器８４に導かれる。
【００１８】
なお、半導体レーザダイオード７９は、それぞれＣＤ用（赤外：波長７８０ｎｍ）、ＤＶＤ用（赤：波長６５０ｎｍ）、ＨＤ  ＤＶＤ用（青紫：波長４０５ｎｍ）のレーザ光を出射する３つの半導体レーザダイオードからなっている。これら半導体レーザダイオードは、同一ＣＡＮパッケージ内に収容されていてもよく、あるいは、独立した３つのＣＡＮパッケージ内にそれぞれ収容され、光ピックアップヘッド６５のベース上に個別に配置されるものであっても良い。光学系は、半導体レーザの構成に応じて適宜、その構成・配置が変更される。
【００１９】
なお、光学系を構成する各部品のうち対物レンズは、ＨＤ  ＤＶＤ用レーザ光を適正にディスク上に収束させ得るよう設計されている。また、光学系には、ＤＶＤ用レーザ光とＣＤ用レーザ光を使用する際に生じる収差を抑制するための収差補正素子（回折素子、位相補正素子、等）や、ＣＤ用レーザ光を使用する際に対物レンズに対する開口数を制限するための開口数制限素子（液晶シャッター、回折素子、等）が含まれている。
【００２０】
光検出器８４は、例えば４分割の光検出セル８４Ａ〜８４Ｄから構成されている。光検出器８４の各光検出セル８４Ａ〜８４Ｄの出力信号は、それぞれ電流／電圧変換用のアンプ８５Ａ〜８５Ｄを介して、光検出セル８４Ａと光検出セル８４Ｃの出力を加算する加算器８６Ａ、光検出セル８４Ｄと光検出セル８４Ｂの出力を加算する加算器８６Ｂ、光検出セル８４Ａと光検出セル８４Ｄの出力を加算する加算器８６Ｃ、光検出セル８４Ａと光検出セル８４Ｂの出力を加算する加算器８６Ｄに供給される。加算器８６Ａ、８６Ｂの出力は差動アンプＯＰ２に供給され、加算器８６Ｃ、８６Ｄの出力はＯＰ１に供給される。
【００２１】
差動アンプＯＰ２は、加算器８６Ａ、８６Ｂの両出力信号の差に応じた、フォーカスエラー信号ＦＥを生成する。このフォーカスエラー信号ＦＥは、フォーカシング制御回路８７に供給される。フォーカシング制御回路８７の出力信号ＦＣは、フォーカシング駆動コイル７２に供給される。供給されたフォーカシング制御回路８７の出力信号ＦＣに基づいて、レーザ光が光ディスク６１の記録面上に常時ジャストフォーカスとなる制御がなされる。さらにフォーカシング制御回路８７は、フォーカスエラー信号ＦＥの振幅を測定する測定機能を有し、その測定値は、バス８９を介してＣＰＵ９０に出力される。
【００２２】
差動アンプＯＰ１は、加算器８６Ｃ、８６Ｄの両出力信号の差に応じたプッシュプル信号ＰＰを生成する。このプッシュプル信号ＰＰはトラッキング制御回路８８に供給され、トラッキング制御回路８８では、このプッシュプル信号ＰＰに応じてトラッキング駆動信号を生成する。トラッキング制御回路８８から出力されるトラッキング駆動信号は、対物レンズ７０を光軸と直交する方向へ駆動するトラッキング駆動コイル７１に供給される。供給されたトラッキング駆動信号に基づいて、レーザ光が光ディスク６１の記録面上の所定箇所に照射される制御がなされる。また、トラッキング制御回路８８で用いられるトラッキングエラー信号ＴＥが、スレッドモータ制御回路６８にも供給される。
【００２３】
以上のようにフォーカシング制御およびトラッキング制御がなされることで、光検出器８４の光検出セル８４Ａ〜８４Ｄの出力信号の和信号、つまり加算器８６Ｃ、８６Ｄの両出力信号を加算する加算器８６Ｅの出力和信号ＲＦによって、記録情報に忠実な信号を得ることができる。この出力和信号ＲＦは、データ再生回路７８に供給される。
【００２４】
演算増幅器ＯＰ３は、加算器８６Ｃ、８６Ｄの両出力信号を加算し、加算信号に対してハイパスフィルタ処理を行った信号を生成する。演算増幅器ＯＰ３の出力信号（ＲＦ信号）は、ＲＦ振幅検出回路１００に供給され、ＲＦ信号の振幅に比例したレベルの信号（ＲＦ  Ｒｉｐｐｌｅ）が生成される。ＲＦ振幅検出回路１００は、ＲＦ信号のピーク値およびボトム値をそれぞれ検波して、その差分値を求める回路で構成されている。
【００２５】
演算増幅器ＯＰ４は、加算器８６Ｃ、８６Ｄの両出力信号を加算し（検出セル８４Ａ〜８４Ｄの出力の加算信号）、加算信号に対してローパスフィルタ処理を行う。そして、ローパスフィルタ処理が行われた加算信号の強度を検出することによって、強度に応じたＳＢＡＤ（ｓｕｂ−ｂｅａｍ  ａｄｄｉｏｎ）信号を生成する。
【００２６】
次に、図１の最下部に位置するデータ再生回路７８は、ＰＬＬ回路７６からの再生用クロック信号に基づき、読み出された記録データを再生する。さらにデータ再生回路７８は、信号ＲＦの振幅を測定する測定機能を有し、その測定値は、バス８９を介してＣＰＵ９０に出力される。
【００２７】
スレッドモータ制御回路６８は、スレッドモータ６６を制御し、対物レンズ７０が光ピックアップヘッド６５内の中心位置近傍に位置するように光ピックアップヘッド６５の本体を移動させる。
【００２８】
また、モータ制御回路６４、スレッドモータ制御回路６８、変調回路７３、レーザ駆動回路７５、ＰＬＬ回路７６、データ再生回路７８、フォーカシング制御回路８７、トラッキング制御回路８８等は、１つのＬＳＩチップ内に構成することができ、これら回路は、バス８９を介してＣＰＵ９０によって制御される。ＣＰＵ９０は、インターフェース回路９３を介してホスト装置９４から供給される動作コマンドに従って、この光ディスク記録再生装置を総合的に制御する。またＣＰＵ９０は、ＲＡＭ９１を作業エリアとして使用し、ＲＯＭ９２に記録された本実施形態に係る処理を含むプログラムに従って、所定の制御を行う。
【００２９】
以下に、本装置のフォーカスバランスの調整について説明する。
【００３０】
図２はフォーカスバランスを変化させたときのＲＦ振幅と、再生性能の指標となるバイトエラーレート（ＢＥＲ）との関係を示す。図２からＲＦ振幅とエラーレートには相関があり、ＲＦ振幅が最大となるポイントにフォーカスバランスを合わせることで、エラーレートを最小にすることが可能なことが分かる。そこで、本装置はパワーバランスを変えながらＲＦ振幅を測定し、測定されたＲＦ振幅から最適なパワーバランスを求める。
【００３１】
ＨＤ  ＤＶＤのようにフォーカスオフセットマージンが小さいような光ディスクの場合であっても、全領域において高い再生／記録性能を確保するために、例えば、図３に示すように半径方向にフォーカスバランス調整位置を複数個設定し、半径位置に応じて最適なフォーカスバランスを求める。
【００３２】
次に、ＲＦ振幅を測定し、ＲＦ振幅から最適なフォーカスバランス調整量を求めるための構成について図４を参照して説明する。
【００３３】
図４に示すように、本構成は、ディスク種類検出部２１１、調整位置格納部２１２、平均値算出部２１３、近似式作成部２１４、最適値算出部２１５、調整量格納部２１６、調整信号出力部２１７、及び再生／記録位置監視部２１８、データ記録検出部２１９等を有する。
【００３４】
ディスク種類検出部２１１は、光ディスクのリードインエリアに記録されている情報からディスクの種類を検出する。光ディスクの種類には、ＨＤ  ＤＶＤ−ＲＯＭのような読取専用媒体、ＨＤ  ＤＶＤ−Ｒのような追記型媒体、ＨＤ  ＤＶＤ−ＲＷおよびＨＤ  ＤＶＤ−ＲＡＭのような書換可能型媒体がある。
【００３５】
調整位置格納部２１２は、光ディスクのフォーカスバランスを調整する位置の情報が格納されている。平均値算出部２１３は光ディスクが１周する間にＲＦ振幅検出回路１００が出力した検出信号からＲＦ信号の振幅の平均値を算出する。
【００３６】
近似式作成部２１４は、服す数対のフォーカスバランス調整量とＲＦ信号の振幅とから最小二乗法などを使ってフォーカスバランス値に対するＲＦ振幅を示す近似式を作成する。最適値算出部２１５は、近似式作成部２１４が作成した近似式からＲＦ信号の振幅が最大となるフォーカスバランス調整量を算出する。
【００３７】
調整量格納部２１６は、調整量格納部２１６に格納されている位置に対して最適値算出部２１５によって算出されたフォーカスバランス調整量が格納される。調整信号出力部２１７は、フォーカスバランス調整制御部２１０の指示に基づいてフォーカスバランス調整部２００に調整信号を出力する。
【００３８】
フォーカスバランス調整部２００は、アンプ２０１，２０２、及びインバータ２０３を有する。アンプ２０１は、調整信号に応じて光検出セル８４Ａと光検出セル８４Ｃの出力を加算する加算信号を増幅する。アンプ２０２は、インバータ２０３によって変換された調整信号の逆極性の信号に応じて光検出セル８４Ｄと光検出セル８４Ｂとの加算信号を増幅する。
【００３９】
再生／記録位置監視部２１８は、再生または記録時に再生／記録位置を監視し、再生／記録位置が調整位置格納部２１２に格納されている位置になったらフォーカスバランス調整制御部２１０にその旨を通知する。フォーカスバランス調整制御部２１０は、位置に対応する調整量格納部２１６はフォーカスバランス調整量を読み出し、調整信号出力部２１７に読み出したフォーカスバランス調整量に応じた調整信号を出力するように指示する。
【００４０】
データ記録検出部２１９は、光ビームの照射位置が記録領域であるか未記録領域であるかを判別する。この判定には、ＲＦ信号の有無を示す信号を用い、トラッキング制御回路８８によるトラッキングサーボをＯＦＦにした状態でディスク一周の間、ＲＦ信号のデューティ比を計測する。図５に光ビームの照射位置に対するＲＦ振幅のデューティ比を示す。図５に示すように、デューティ比が閾値ｄ２より大きければ記録領域、閾値ｄ１より小さければ未記録領域と判断することができる。デューティ比が閾値ｄ１と閾値ｄ２との間の場合には、光ビームが、記録領域と未記録領域との間を行き来していると判断することが出来る。
【００４１】
トラッキングサーボをオフにした状態なので、光ディスクの偏心によって照射位置の径方向の位置がふらつく。その結果、照射位置が記録領域と未記録領域の境界領域の場合、記録領域と未記録領域との間を行ったり来たりする。当然、照射位置が記録領域に近いほど、記録領域に照射されるのでデューティ比が大きくなる。従って、デューティ比に応じて、照射位置が、記録領域と未記録領域とを区別することが出来る。
【００４２】
また、トラッキングサーボをオフにした状態であると、ＲＦ信号に外乱が与えられ、ＲＦ信号の振幅が大きくなりやすい。
【００４３】
フォーカスバランス調整制御部２１０は、フォーカスバランス調整量の検出の制御、並びにフォーカスバランス調整量の設定を行う。レジスタ２１０Ａはフォーカスバランス調整量の検出時に、検出している位置の箇所の情報を格納する。
【００４４】
次に、フォーカスバランス調整値の検出について図６および図７のフローチャートを参照して説明する。
【００４５】
図６及び図７は光ディスクを再生する際のフォーカスバランス調整のフローチャートである。例えば、ＨＤ  ＤＶＤのようにフォーカスオフセットマージンが小さいような光ディスクの場合であっても、図３に示すように半径方向にフォーカスバランス調整位置を複数個設定し、半径位置に応じて最適なフォーカスバランスを求めておけば、全領域において高い再生性能を確保することが可能となる。本実施形態の場合、８個の調整位置が調整位置格納部２１２に格納されている。
【００４６】
光ディスク装置に光ディスクが装填されたら、ディスク種類検出部２１１は、光ディスクリードインエリアに記録されている光ディスク情報からディスクの種類を検出する（ステップＳ１１）。
【００４７】
フォーカスバランス調整制御部２１０は、検出されたディスクが読取専用媒体であるか否かを判別する（ステップＳ１２）。読取専用媒体である判断した場合（ステップＳ１２のＹｅｓ）、フォーカスバランス調整制御部２１０は、調整位置を示す値を格納するレジスタ２１０Ａに１を格納する（ステップＳ１３）。以下ではレジスタ２１０Ａに格納されている値をｎとする。
【００４８】
フォーカスバランス調整制御部２１０は、調整位置格納部２１２から調整位置Ｐｎの情報を読み出し、モータ制御回路６４に光ピックアップヘッド６５をフォーカスバランス調整位置Ｐｎに移動させるよう指示する（ステップＳ１４）。データ記録検出部２１９は、調整位置Ｐｎに光ディスクにデータが記録されているか否かを判別する（ステップＳ１５）。
【００４９】
検出後、フォーカスバランス調整制御部２１０は、未記録領域であるか否かを判別する（ステップＳ１６）。未記録領域であると判別した場合（ステップＳ１６のＹｅｓ）、読取専用媒体および追記型媒体の場合、現在の調整位置Ｐｎ以降にはデータが記録されていないので、フォーカスバランス調整処理を終了する。
【００５０】
未記録領域ではないと判別した場合（ステップＳ１６のＮｏ）、フォーカスバランス調整制御部２１０は、調整信号出力部２１７に調整信号の変更を指示し、アンプ２０１、２０２の利得を変更する（ステップＳ１７）。なお、未記録領域ではないと判別した場合（ステップＳ１６のＮｏ）でも、デューティ比が図５の閾値ｄ１と閾値ｄ２との間であった場合、その内周よりの位置で同様の測定を行い、確実に記録済みであるエリア（デューティ比がｄ１より大きい領域）へピックアップヘッド６５を移動させることが好ましい。
【００５１】
ＲＦ振幅検出回路１００は、ＲＦ信号の振幅を測定し、平均値算出部２１３は光ディスクが１回転する間の振幅の測定値を算出する（ステップＳ１８）。
【００５２】
測定後、フォーカスバランス調整制御部２１０は、必要な数の平均値を取得したか否かを判別する（ステップＳ１９）。取得できていないと判断した場合、ステップＳ１７に戻って、フォーカスバランスの設定値を変更して、ＲＦ振幅を測定する。
【００５３】
取得できていると判別した場合（ステップＳ１９のＹｅｓ）、近似式作成部２１４は、フォーカスバランス値に対するＲＦ振幅を示す近似式を作成する（ステップＳ２０）。最適値算出部２１５は、近似式作成部２１４が作成した近似式からＲＦ振幅が最大となるフォーカスバランス値を算出する。フォーカスバランス調整制御部２１０は、調整位置Ｐｎに対する算出したフォーカスバランス値をロムに格納する（ステップＳ２１）。
【００５４】
次に、フォーカスバランス調整制御部２１０は、レジスタ２１０Ａに格納されている値が８であるか否かを判別する（ステップＳ２２）。８ではないと判断した場合（ステップＳ２２のＮｏ）、フォーカスバランス調整制御部２１０は、レジスタ２１０Ａにｎ＋１の値を格納し（ステップＳ２３）、次の調整位置Ｐｎに光ピックアップヘッド６５を移動させ、ステップ１４以降の処理を行う。
【００５５】
８であると判断した場合（ステップＳ２２のＹｅｓ）、フォーカスバランス調整制御部２１０は、フォーカスバランスの調整を行っていない層があるか否かを判別する（ステップＳ２４）。未調整の層があると判断した場合（ステップＳ２４のＹｅｓ）、フォーカスバランス調整制御部２１０は、光ビームの焦点位置を未調整の層にレイヤージャンプさせ（ステップＳ２５）、ステップＳ１３以降の処理を行って調整位置毎にフォーカスバランスの最適設定を算出する。未調整の層がないと判断した場合（ステップＳ２４のＮｏ）、フォーカスバランス調整制御部２１０は、フォーカスバランスの調整を終了する。
【００５６】
ステップＳ１２において読取専用媒体ではないと判断した場合について説明する。読取専用媒体ではない追記型媒体および記録可能型媒体が、読取専用媒体と異なる点は、途中にデータが記録されていない領域があるということである。追記型媒体には追記型ディスクにはリザーブという規格があり、追記型媒体に未記録領域を確保してから記録を開始することもある。また、記録可能型媒体は、データを削除することが出来る。従って、調整値が記録領域ではない場合に、光ピックアップヘッド６５を次の調整位置に移動させて、フォーカスバランスを調整しなければならない場合がある。
【００５７】
読取専用媒体であると判断した場合（ステップＳ１２のＮｏ）、調整位置を示す値を格納するレジスタ２１０Ａに１を格納する（ステップＳ３１）。
【００５８】
光ピックアップヘッド６５をフォーカスバランス調整位置Ｐｎに移動させる（ステップＳ３２）。ステップＳ１５と同様に、調整位置Ｐｎに光ディスクにデータが書き込まれているか否かを判別する（ステップＳ３３）。
【００５９】
フォーカスバランス調整制御部２１０は、未記録領域であるか否かを判別する（ステップＳ３４）。未記録領域であると判別した場合（ステップＳ３４のＹｅｓ）、ステップＳ３９の処理が実行される。未記録領域ではないと判別した場合（ステップＳ３４のＮｏ）、フォーカスバランス調整制御部２１０は、フォーカスバランスの設定値を変更し、アンプ２０１、２０２の利得を変更する（ステップＳ３５）。ＲＦ振幅検出回路１００は、ＲＦ振幅を測定する（ステップＳ３６）。測定後、フォーカスバランス調整制御部２１０は、必要な数のデータを取得したか否かを判別する（ステップＳ３７）。取得できていないと判断した場合、ステップＳ３５に戻って、フォーカスバランスの設定値を変更して、ＲＦ振幅を測定する。
【００６０】
取得できていると判別した場合（ステップＳ３７のＹｅｓ）、近似式作成部２１４は、フォーカスバランス値に対するＲＦ振幅を示す近似式を作成する（ステップＳ３８）。最適値算出部２１５は、近似式からＲＦ振幅が最大となるフォーカスバランス値を算出する。フォーカスバランス調整制御部２１０は、調整位置Ｐｎに対する算出したフォーカスバランス値をロムに格納する（ステップＳ３９）
最適値算出部２１５は、レジスタ２１０Ａに格納されている値ｎが８であるか否かを判別する（ステップＳ４０）。８ではないと判断した場合（ステップＳ４０のＮｏ）、フォーカスバランス調整制御部２１０は、レジスタ２１０Ａにｎ＋１の値を格納し（ステップＳ４１）、次の調整位置Ｐｎに光ピックアップヘッド６５を移動させ、ステップ１４以降の処理を行う。
【００６１】
８であると判断した場合（ステップＳ４０のＹｅｓ）、ォーカスバランス調整制御部２１０は、フォーカスバランスの調整を行っていない層があるか否かを判別する（ステップＳ４１）。未調整の層があると判断した場合（ステップＳ４１のＹｅｓ）、フォーカスバランス調整制御部２１０は、光ビームの焦点位置を未調整の層にレイヤージャンプさせ（ステップＳ４２）、ステップＳ３１以降の処理を行って調整位置毎にフォーカスバランスの最適設定を算出する。未調整の層がないと判断した場合（ステップＳ４１のＮｏ）、フォーカスバランス調整制御部２１０は、フォーカスバランスの調整を終了する。
【００６２】
調整結果は、シーク動作やリード動作などにおいて、目的アドレスに応じて反映させる。例えば、目的アドレスがフォーカスバランス調整位置Ｐn-1とフォーカスバランス調整位置Ｐnの間であれば、フォーカスバランス調整位置Ｐnの調整結果を使用する。
【００６３】
（未記録の記録型ディスクへの記録処理）
次に、ＨＤ  ＤＶＤ−Ｒなどの記録型ディスクに対して記録を実行する際の、フォーカスバランス調整を説明する。記録型ディスクが完全に未記録であった場合にはＲＦ信号が存在しないため、調整を行うことはできない。
【００６４】
次に、未記録の記録型ディスクに対してデータを記録する際に、ＲＦ振幅を測定し、ＲＦ振幅から最適なフォーカスバランス調整量を求めるための構成について図８を参照して説明する。
【００６５】
図８に示すように、本構成は、ディスク種類検出部２１１、調整位置格納部２１２、平均値算出部２１３、近似式作成部２１４、最適値算出部２１５、調整量格納部２１６、調整信号出力部２１７、及び再生／記録位置監視部２１８、データ記録検出部２１９、ＯＰＣ処理部２２０、および記録部２２１等を有する。
【００６６】
ディスク種類検出部２１１、調整位置格納部２１２、平均値算出部２１３、近似式作成部２１４、最適値算出部２１５、調整量格納部２１６、調整信号出力部２１７、及び再生／記録位置監視部２１８、データ記録検出部２１９については、図４を参照して説明した構成と同様なので説明を省略する。
【００６７】
ＯＰＣ（Optimum Power Control）処理部２２０は、光ディスクの記録領域にデータを記録する前に、光ディスクのＰＣＡ（Power Calibration Area）にテストデータを記録して光ビームの最適パワーを求める。また、記録部２２１は、光ディスクの記録領域にデータを記録する。
【００６８】
本実施形態では、光ディスクの記録領域にデータを記録する前に、ＰＣＡにフォーカスバランス調整用データを記録し（図９）、フォーカスバランス調整用データを用いて最適なフォーカスバランス調整値を算出する。
【００６９】
図１０を参照して、全くデータが記録されていない光ディスクにフォーカスバランスを調整しつつ、データを記録する処理の手順を説明する。
【００７０】
先ず、ＯＰＣ処理部２２０は、光ディスクのＰＣＡにパワー調整用のデータを書き込み、データを再生して再生信号から光ビームのパワーを調整する（ステップＳ５１）。フォーカスバランス調整制御部２１０は、記録部２２１を利用してＰＣＡ内のＯＰＣに使用した領域の隣にフォーカスバランス調整用のデータを記録する（ステップＳ５２）。なお、ＰＣＡには限りがあるので、フォーカスバランス調整用領域は１トラック強程度とするのが良い。データの記録後、フォーカスバランス調整に移行する。
【００７１】
ステップＳ１７と同様に、フォーカスバランス調整制御部２１０は、フォーカスバランスの設定値を変更し、アンプ２０１、２０２の利得を変更する（ステップＳ５３）。ＲＦ振幅検出回路１００は、ＲＦ信号の振幅を測定し、平均値算出部２１３は光ディスクが１回転する間の振幅の測定値を算出する（ステップＳ５４）。前述のように、フォーカスバランス調整用領域は１トラック強程度しかないので、ＲＦ振幅測定はトラックオン状態で実行する必要がある。
【００７２】
測定後、フォーカスバランス調整制御部２１０は、必要な数のデータを取得したか否かを判別する（ステップＳ５５）。取得できていないと判断した場合、ステップＳ５３に戻って、フォーカスバランスの設定値を変更して、ＲＦ振幅の測定、平均値の算出が行われる。
【００７３】
取得できていると判別した場合（ステップＳ５５のＹｅｓ）、ステップＳ２０およびステップＳ２１と同様に、近似式作成部２１４はフォーカスバランス値に対するＲＦ振幅を示す近似式を作成し、最適値算出部２１５は近似式からＲＦ振幅が最大となるフォーカスバランス値を算出し、フォーカスバランス値をロムに格納する（ステップＳ５６）。ステップＳ５６で、フォーカスバランス調整部は、算出したフォーカスバランス値を用いてアンプの利得を調整する（ステップＳ５７）。
【００７４】
ＰＣＡでのフォーカスバランス調整後、フォーカスバランス調整制御部２１０は、記録部２２１によるデータの記録の開始を許可する（ステップＳ５８）。記録時、再生／記録位置監視部２１８は、記録位置を監視し、記録位置が調整位置格納部２１２に設定されているフォーカスバランスの調整位置Ｐｎであるか否かを判別する（ステップＳ５９）。記録位置が調整位置Ｐｎであると判別した場合（ステップＳ５９のＹｅｓ、図１１（Ａ））、フォーカスバランス調整制御部２１０は、記録部２２１にデータの記録を一時中断させる（ステップＳ６０）。フォーカスバランス調整制御部２１０は、スレッドモータ制御回路６８に記録中断位置から記録済み領域の方向（内周方向）に光ピックアップヘッド６５を少し移動させる（図１１（Ｂ））。そして、フォーカスバランス調整に移行する。ここでのフォーカスバランス調整は、確実に記録済み領域で行う必要があるため、光ピックアップヘッド６５を移動させている。
【００７５】
ステップＳ１７と同様に、フォーカスバランス調整制御部２１０は、フォーカスバランスの設定値を変更し、アンプ２０１、２０２の利得を変更する（ステップＳ６１）。ＲＦ振幅検出回路１００はＲＦ信号の振幅を測定し、平均値算出部２１３は光ディスクが１回転する間の振幅の測定値を算出する（ステップＳ６２）。
【００７６】
測定後、フォーカスバランス調整制御部２１０は、必要な数のデータを取得したか否かを判別する（ステップＳ６３）。取得できていないと判断した場合、ステップＳ６１に戻って、フォーカスバランスの設定値を変更して、ＲＦ信号の振幅が測定される。
【００７７】
取得できていると判別した場合（ステップＳ６３のＹｅｓ）、ステップＳ２０およびステップＳ２１と同様に、近似式作成部２１４がフォーカスバランス値に対するＲＦ振幅を示す近似式を作成し、最適値算出部２１５が近似式からＲＦ振幅が最大となるフォーカスバランス値を算出し、フォーカスバランス値をロムに格納する（ステップＳ６４）。フォーカスバランス調整部はステップＳ５６で算出したフォーカスバランス値を用いてアンプ２０１，２０２の利得を調整する（ステップＳ６５）。
【００７８】
フォーカスバランス調整が完了したら、フォーカスバランス調整制御部２１０は、記録部２２１に記録の再開を指示する（ステップＳ６６、図１１（Ｃ））。
【００７９】
記録が終了したと判断するまで（ステップＳ６７のＹｅｓ）、記録中断→フォーカスバランス調整→記録再開を繰り返していく。また、記録終了後に再生動作を行う場合には、各フォーカスバランス調整位置におけるＲＦ振幅が最大のフォーカスバランス値はすでに取得しているので、再調整の必要無く再生動作に移行できる。
【００８０】
（記録型ディスクへの再生／記録処理）
差動アンプＯＰ１から出力されるプッシュプル信号の振幅（以下、ＰＰ振幅）は記録型ディスクのアドレス読み性能と相関があり、ＰＰ振幅が大きいほどアドレスの読みに失敗する確率は下がる。仮に、ＲＦ振幅が最大となるフォーカスバランス値と、ＰＰ振幅が最大となるフォーカスバランス値がずれていた場合、フォーカスバランスをＲＦ振幅が最大となる値に設定すると、アドレスが読めず、シークに失敗する可能性が高まってしまう。
【００８１】
そこで、以下では、再生・記録性能とアドレス読み性能とのバランスをとった方法について説明する。以下に、記録型ディスクの再生時にフォーカスバランス調整を調整するための構成を図１２を参照して説明する。
【００８２】
図１２に示すように、本構成は、ディスク種類検出部２１１、調整位置格納部２１２、平均値算出部２１３、近似式作成部２１４、最適値算出部２１５、調整量格納部２１６、調整信号出力部２１７、及び再生／記録位置監視部２１８、データ記録検出部２１９、ＰＰ振幅検出回路３００、平均値算出部３１３、近似式作成部３１４、最適値算出部３１５、調整量決定部３２０等を有する。
【００８３】
ディスク種類検出部２１１、調整位置格納部２１２、平均値算出部２１３、近似式作成部２１４、最適値算出部２１５、調整量格納部２１６、調整信号出力部２１７、及び再生／記録位置監視部２１８、データ記録検出部２１９については、図４を参照して説明した構成と同様なので説明を省略する。
【００８４】
ＰＰ振幅検出回路３００は、差動アンプＯＰ１が出力するプッシュプル信号の振幅を検出する。平均値算出部３１３は、ＰＰ振幅検出回路３００が出力するＰＰ振幅の情報に基づいて、ＰＰ振幅の平均値を算出する。、近似式作成部３１４は、フォーカスバランス調整量に対するＰＰ振幅を示す近似式を最小二乗法等を用いて作成する。最適値算出部３１５は、近似式作成部３１４が作成した近似式から、ＰＰ振幅が最大となるフォーカスバランス調整量を算出する。調整量決定部３２０は、最適値算出部２１５が算出したＲＦ振幅が最大となるフォーカスバランス調整量と、最適値算出部３１５が算出したＰＰ振幅が最大となるフォーカスバランス調整量とを比較する。二つの調整量が異なる場合に、調整量決定部は、二つの調整量の中間の調整量を最適な調整量として決定する。二つの調整量の中間とは、平均値または化一方の値に重み付けをした加重平均値である。
【００８５】
調整量の決定方法は、図６，７を参照して説明したフローチャートとほぼ同様であり、異なる点についてのみ説明する。
【００８６】
ステップＳ１８およびステップＳ３６のＲＦ振幅測定時に、ＰＰ振幅の検出、及びＰＰ振幅の平均値の算出を行う。また、ステップＳ２０およびステップＳ３８のＦＲ振幅の測定結果に基づく近似式の作成時に、ＰＰ振幅の測定結果に基づく近似式を作成する。また、ステップＳ２１、およびステップＳ３９の最適設定算出／格納時に、先ず、二つの近似式に基づいて、それぞれの最適値算出部２１５，３１５が最適な調整量を算出する。そして、調整量決定部３２０が二つの調整量を比較し、二つの調整量が異なる場合に、調整量決定部は、二つの調整量の中間の調整量を最適な調整量として決定し、調整量格納部２１６に格納する。二つの調整量が等しければ、調整量決定部３２０が、その調整量を調整量として調整量格納部２１６に格納する。
【００８７】
ＲＦ振幅が最大となるフォーカスバランス値と、ＰＰ振幅が最大となるフォーカスバランス値がずれているときに、その中間値を設定することで、再生・記録性能とアドレス読み性能の両方を確保することができる。なお、未記録の光ディスクに記録する場合も同様なので説明を省略する。
【００８８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８９】
【図１】本発明の一実施形態に係わる光ディスク装置のシステム構成を示すブロック図。
【図２】フォーカスバランスを変化させたときのＲＦ振幅と、再生性能の指標となるバイトエラーレート（ＢＥＲ）との関係を示す図。
【図３】光ディスクの半径方向に設定されたフォーカスバランス調整位置を説明するための図。
【図４】本発明の一実施形態に係わるＲＦ振幅から最適なフォーカスバランス調整量を求めるための構成を示すブロック図。
【図５】光ビームの照射位置に対するＲＦ振幅のデューティ比を示す図。
【図６】フォーカスバランス調整値を検出する手順を示すフローチャート。
【図７】フォーカスバランス調整値を検出する手順を示すフローチャート。
【図８】本発明の一実施形態に係わる未記録の記録型ディスクに対してデータを記録する際に、データを記録しつつフォーカスバランス調整量を求めるための構成を示すブロック図。
【図９】ＰＣＡに記録されるフォーカスバランス調整用データを説明するための図。
【図１０】データを記録しつつフォーカスバランス調整量を求めるため手順を示すフローチャート。
【図１１】記録一時停止、調整位置への移動、記録再開時のピックアップヘッドの位置を示す図。
【図１２】記録型ディスクの再生時にフォーカスバランス調整を調整するための構成を示すブロック図。
【符号の説明】
【００９０】
１００…ＲＦ振幅検出回路，２００…フォーカスバランス調整部，２０２…アンプ，２０３…インバータ，２１０…フォーカスバランス調整制御部，２１０Ａ…レジスタ，２１１…ディスク種類検出部，２１２…調整位置格納部，２１３…平均値算出部，２１４…近似式作成部，２１５…最適値算出部，２１６…調整量格納部，２１７…調整信号出力部，２１８…記録位置監視部，２１９…データ記録検出部，２２０…ＯＰＣ処理部，２２１…記録部，３００…ＰＰ振幅検出回路，３１３…ＰＰ平均値算出部，３１３…平均値算出部，３１４…近似式作成部，３１５…最適値算出部，３２０…調整量決定部。
【図１】
2008299957.tif 000003
【図２】
2008299957.tif 000004
【図３】
2008299957.tif 000005
【図４】
2008299957.tif 000006
【図５】
2008299957.tif 000007
【図６】
2008299957.tif 000008
【図７】
2008299957.tif 000009
【図８】
2008299957.tif 000010
【図９】
2008299957.tif 000011
【図１０】
2008299957.tif 000012
【図１１】
2008299957.tif 000013
【図１２】
2008299957.tif 000014